(57)【要約】【課題】より効果的な照明を行うことが可能な画像診断装置を提供することである。【解決手段】実施形態に係る画像診断装置は、架台及び照明制御部を備える。前記架台は、被検体の撮像を行うための撮像部を内蔵している。また、前記架台は、その側面に寝台が接続される部分を除く部分に対応する形状の光を前記寝台側に発生させる照明部を有する。前記照明制御部は、前記照明部を制御する。また、実施形態に係る画像診断装置は、架台及び照明制御部を備える。前記架台は、被検体の撮像を行うための撮像部を内蔵している。また、前記架台は、寝台側に向けて間接照明を行う照明部を有する。前記照明制御部は、前記照明部を制御する。【選択図】  図１
2013128749.tif 000002
【特許請求の範囲】
【請求項１】
被検体の撮像を行うための撮像部を内蔵し、その側面に寝台が接続される部分を除く部分に対応する形状の光を前記寝台側に発生させる照明部を有する架台と、
前記照明部を制御する照明制御部と、
を備える画像診断装置。
【請求項２】
被検体の撮像を行うための撮像部を内蔵し、寝台側に向けて間接照明を行う照明部を有する架台と、
前記照明部を制御する照明制御部と、
を備える画像診断装置。
【請求項３】
被検体の撮像を行うための撮像部を内蔵し、その側面に外部に向けて光を照射する照明部を有する架台と、
前記照明部を制御することによって当該画像診断装置及び前記被検体の少なくとも一方に関する情報を前記光の変化として表示させる照明制御部と、
を備える画像診断装置。
【請求項４】
前記照明制御部は、前記照明部を制御することにより、当該画像診断装置及び前記被検体の少なくとも一方に関する情報に応じて前記光の色、光量及び発光時間の少なくとも１つを変化させるように構成される請求項１乃至３のいずれか１項に記載の画像診断装置。
【請求項５】
前記照明部は、照射した光を前記架台の寝台側における外装カバーに反射させ、反射光を前記寝台側に発生させるように構成される請求項１乃至３のいずれか１項に記載の画像診断装置。
【請求項６】
前記架台の内部の撮像空間に向けて光を照射する照明部を更に備え、
前記照明制御部は、前記撮像空間に照射される光の変化として当該画像診断装置及び前記被検体の少なくとも一方に関する情報を表示させるように構成される請求項１乃至３のいずれか１項に記載の画像診断装置。
【請求項７】
前記照明部は、寝台が接続される部分を除く円弧状の光を前記寝台側に発生させるように構成される請求項１乃至３のいずれか１項に記載の画像診断装置。
【請求項８】
前記照明制御部は、撮像開始からの経過時間及び撮像の残り時間の少なくとも一方を前記光の変化として表示させるように構成される請求項３記載の画像診断装置。
【請求項９】
前記照明部は、前記寝台側から前記架台を見たとき、前記被検体が挿入されるボアの外側かつ前記寝台が接続される部分を除く部分において光を発生させるように構成される請求項１乃至３のいずれか１項に記載の画像診断装置。
【発明の詳細な説明】
【技術分野】
【０００１】
本発明の実施形態は、画像診断装置に関する。
【背景技術】
【０００２】
磁気共鳴イメージング(MRI: Magnetic Resonance Imaging)装置は、静磁場中に置かれた被検体の原子核スピンをラーモア周波数の高周波(RF: radio frequency)信号で磁気的に励起し、この励起に伴って発生する磁気共鳴(MR: nuclear magnetic resonance)信号から画像を再構成する画像診断装置である。
【０００３】
MRI装置には、被検体である患者の不安感を低減させるための照明機器が備えられている。すなわち、照明機器によってMRI装置に備えられる架台の内部を様々な色や照度で照らすことができる。
【先行技術文献】
【特許文献】
【０００４】
【特許文献１】特開２００８−１４９１１８号公報
【発明の概要】
【発明が解決しようとする課題】
【０００５】
しかしながら、架台の照明は、被検体の不安感の低減の他、MRI装置の装飾を目的としたものであり、エネルギの一層の有効利用が望まれる。これは架台を有する画像診断装置に共通の課題である。
【０００６】
そこで、本発明は、より効果的な照明を行うことが可能な画像診断装置を提供することを目的とする。
【課題を解決するための手段】
【０００７】
本発明の実施形態に係る画像診断装置は、架台及び照明制御部を備える。前記架台は、被検体の撮像を行うための撮像部を内蔵している。また、前記架台は、その側面に寝台が接続される部分を除く部分に対応する形状の光を前記寝台側に発生させる照明部を有する。前記照明制御部は、前記照明部を制御する。
また、本発明の実施形態に係る画像診断装置は、架台及び照明制御部を備える。前記架台は、被検体の撮像を行うための撮像部を内蔵している。また、前記架台は、寝台側に向けて間接照明を行う照明部を有する。前記照明制御部は、前記照明部を制御する。
また、本発明の実施形態に係る画像診断装置は、架台及び照明制御部を備える。前記架台は、被検体の撮像を行うための撮像部を内蔵している。また、前記架台は、その側面に外部に向けて光を照射する照明部を有する。前記照明制御部は、前記照明部を制御することによって当該画像診断装置及び前記被検体の少なくとも一方に関する情報を前記光の変化として表示させる。
【図面の簡単な説明】
【０００８】
【図１】本発明の実施形態に係る画像診断装置の一例としての磁気共鳴イメージング装置の構成図。
【図２】図１に示す架台の寝台側における側面図。
【図３】図１に示す第１の照明部及び外装カバーの詳細構造例を示す拡大断面図。
【発明を実施するための形態】
【０００９】
本発明の実施形態に係る画像診断装置について添付図面を参照して説明する。
【００１０】
図１は本発明の実施形態に係る画像診断装置の一例としての磁気共鳴イメージング装置の構成図であり、図２は図１に示す架台の寝台側における側面図である。図２（ａ）は寝台設置前の状態を示し、図２（ｂ）は寝台設置後の状態を示す。
【００１１】
磁気共鳴イメージング装置１は、架台（ガントリ）２、寝台３及び制御系４を有する。架台２には、静磁場磁石５、傾斜磁場コイル６及び全身用コイル７等の被検体Ｏの撮像を行うための撮像部８が内蔵される。架台２のボア内には、被検体Ｏの撮像空間Ｓが形成される。また、架台２の一方側の側面の開口部Ｂには寝台３が接続される。そして、寝台３の天板３Ａを架台２内に送り込むことにより被検体Ｏを撮像空間Ｓにセットすることができる。また、被検体Ｏには緊急事態を知らせるためのペーシェントコール９を付与することができる。
【００１２】
架台２には、第１の照明部１１及び第２の照明部１２が設けられる。第１の照明部１１は、架台２の外部に向けて光Ｌを照射する照明部である。また、第２の照明部１２は、架台２の内部の撮影空間に向けて光Ｌを照射する照明部である。このため、第２の照明部１２は架台２の開口部付近又はボア内に設けることができる。一方、第１の照明部１１は、架台２の寝台３側の側面に設けることができる。すなわち、架台２の外装カバー１３の寝台３側に第１の照明部１１を設けることができる。
【００１３】
この場合、第１の照明部１１が、寝台３が接続される部分を除く部分に対応する形状の光Ｌを寝台３側に発生させるように構成すれば、寝台３の着脱を考慮した第１の照明部１１のメンテナンス性を向上させることができる。具体例として、寝台３が接続される部分を除く円弧状の光Ｌを寝台３側に発生させることができる。或いは、寝台３が接続される部分を除く円弧に沿って断続的に設けられる複数の領域から光Ｌを寝台３側に発生させるようにしてもよい。従って、第１の照明部１１は、寝台３側から架台２を見たとき、被検体Ｏが挿入される架台２のボアの外側かつ寝台３が接続される部分を除く部分において光Ｌを発生させることとなる。
【００１４】
図示された例では、Ｃ字状の光Ｌが、架台２の外部に向けて生成されている。このため、被検体Ｏ以外のオペレータや見学者等の人への照明光の視認性を良好にすることができる。
【００１５】
図３は、図１に示す第１の照明部１１及び外装カバー１３の詳細構造例を示す拡大断面図である。
【００１６】
図３は、図２に示すＡ−Ａ断面を拡大した断面図である。図３に示すように、架台２には、静磁場磁石５、傾斜磁場コイル６及び全身用コイル７が内蔵される。すなわち、静磁場磁石５、傾斜磁場コイル６及び全身用コイル７は、架台２の外装カバー１３で保護される。
【００１７】
第１の照明部１１は、架台２から寝台３側に光Ｌを照射できるように架台２に設けることができる。この場合、第１の照明部１１が寝台３側に向けて間接照明を行うようにすることが好適である。すなわち、寝台３側に照射される光Ｌを、外装カバー１３の反射領域１３ａに反射させた反射光とすることが好適である。
【００１８】
例えば、図３に示すように外装カバー１３の形状を湾曲又は傾斜させた、外装カバー１３の反射領域１３ａを第１の照明部１１が発光した光の反射体として利用することができる。図３に示す例では、第１の照明部１１から鉛直方向に照射された光が架台２の寝台３側における外装カバー１３の反射領域１３ａに反射し、水平方向又は斜め方向に反射した反射光が寝台３側に発生するように第１の照明部１１及び外装カバー１３の形状が設計されている。なお、照明部１１から外装カバー１３の反射領域１３ａに斜め方向に光を照射させてもよい。
【００１９】
より具体的には、第１の照明部１１の光源１４を固定するためのリング状の固定部材１５が架台２の端部、例えば静磁場磁石５の寝台３側の側面に固定される。そして、リング状の固定部材１５に沿って発光方向を直径方向に向けた光源１４がリング状に配置される。換言すれば放射状に光源１４が配置される。光源１４からは上方に向かって光が照射される。そこで、光源１４は透明カバー１６で保護される。そして、光源１４から上方に向かって照射された光は透明カバー１６を透過して外装カバー１３に反射し、反射光によって寝台３側が照らされる。
【００２０】
光源１４としては、磁場の影響を受けないようにするため発光ダイオード(LED: Light Emitting Diode)が用いられる。望ましくは、多数の３色LEDが光源１４として固定部材１５に沿って円状に配置される。但し、白色LED等の単色LEDを使用してもよい。
【００２１】
また、外装カバー１３の材質としては、従来から架台２の外装カバー１３用に用いられているプラスチックを用いることができる。但し、より効果的に光の反射効果が得られるように、凹凸の少ない形状としたり、反射効率の良い色又は材料としたりすることができる。
【００２２】
このように反射光を生成することによって直接光が人の目に入らないようにすることができる。これにより、視覚的な刺激を軽減することができる。
【００２３】
一方、制御系４は寝台３及び撮像部８を制御し、かつ撮像部８において収集されたMR信号に基づいてMR画像データを生成するシステムである。そのために制御系４は、信号ケーブル１７で撮像部８の各構成要素と接続される。制御系４には、装置制御部１８及び照明制御部１９が備えられる。装置制御部１８及び照明制御部１９は、回路及びコンピュータの少なくとも一方により構成することができる。照明制御部１９を構成するためにコンピュータを用いる場合には、第１の照明部１１及び第２の照明部１２の制御プログラムがコンピュータの演算装置にインストールされる。
【００２４】
装置制御部１８は、信号ケーブル１７を介して撮像部８を制御し、撮像部８において収集されたMRデータに対するデータ処理を実行することによってMR画像データを生成する機能を有する。
【００２５】
また、照明制御部１９は、第１の照明部１１及び第２の照明部１２を制御することによって磁気共鳴イメージング装置１及び被検体Ｏの少なくとも一方に関する情報を、架台２の外部に向けて照射される光Ｌの変化として表示させる機能を有している。より具体的には、磁気共鳴イメージング装置１及び被検体Ｏの少なくとも一方に関する情報に応じて光Ｌの色、光量及び発光時間の少なくとも１つを変化させることができる。
【００２６】
これにより、磁気共鳴イメージング装置１に関わる人は、第１の照明部１１から架台２の外部に向けて照射される光Ｌの変化として磁気共鳴イメージング装置１及び被検体Ｏの少なくとも一方に関する情報を得ることができる。また、架台２内にセットされた患者は、第１の照明部１１から撮像空間Ｓに照射される光Ｌの変化として磁気共鳴イメージング装置１及び患者自身に関する情報を得ることができる。
【００２７】
磁気共鳴イメージング装置１又は被検体Ｏに関する情報としては、様々な情報が挙げられる。例えば、磁気共鳴イメージング装置１が制御系４における電源系統の回路や冷却系統を一時的にオフにする省電力モードとなっているか否か、患者に手渡されるペーシェントコール９が押されか否か、撮像開始からの経過時間、撮像の残り時間、警告（ワーニング）情報が出ているか否か、撮像を開始できるシステムレディ状態にあるか否か、造影剤が投与されたか否か等が挙げられる。従って、磁気共鳴イメージング装置１がシステムレディ状態にあるときに青で点灯、ワーニングが発生された場合には赤で点灯、ペーシェントコール９が押された場合には大きい光量かつ赤で点滅、装置が省電力モードであるときは小さい光量かつ緑で点灯といったように所望の照明条件を予め決定して照明を制御することができる。すなわち、磁気共鳴イメージング装置１及び被検体Ｏの少なくとも一方に関する情報に応じた第１の照明部１１及び第２の照明部１２の照明条件を設定することができる。
【００２８】
上述の例の他、照明制御部１９が撮像開始からの経過時間及び撮像の残り時間の少なくとも一方を第１の照明部１１から照射される光Ｌの変化として表示させる場合には、リング状の点灯範囲を例えば時計方向に変化させるといった照明制御も可能である。
【００２９】
そこで、照明制御部１９は、必要に応じてペーシェントコール９等の機器と接続される。そして、第１の照明部１１及び第２の照明部１２の照明制御のトリガとして用いられる情報を対象となる機器から取得できるように構成される。また、撮像の残り時間等の装置情報についても照明制御部１９が装置制御部１８から取得できるように構成される。
【００３０】
尚、照明制御部１９が患者に安心感を与える目的で第１の照明部１１及び第２の照明部１２を制御するようにしてもよい。例えば、フットファーストで患者が天板３Ａ上に仰向けにセットされる場合には、天板３Ａがボア内に完全に送り込まれるまでは、第１の照明部１１による照明によって患者に安心感を与えることができる。続いて、天板３Ａの水平移動によって患者が架台２内に送り込まれた後は、第２の照明部１２による照明によって患者に安心感を与えることができる。この場合に、第２の照明部１２の点灯範囲を変えることによって、撮像の残り時間又は撮像の開始からの経過時間を患者に知らせることもできる。
【００３１】
つまり以上のような磁気共鳴イメージング装置１は、架台２の側面に、寝台３が接続される部分を除く部分に対応する形状の光を寝台３側に発生させる第１の照明部１１を設けたものである。また、磁気共鳴イメージング装置１は、架台２に設けられる第１の照明部１１及び第２の照明部１２によって、磁気共鳴イメージング装置１の状態及び患者状態の少なくとも一方を提示できるようにしたものである。
【００３２】
このため、患者の不安感を低減させ、安心して診断を受けられる環境を提供することができる。加えて、磁気共鳴イメージング装置１によれば、架台２に設けられた照明部による照明制御によって、磁気共鳴イメージング装置１や患者の状態を患者、操作者、見学者等の様々な人に認識させることができる。また、第１の照明部１１による照射範囲を円弧状とすることによって、寝台３の着脱を考慮した適切な照明を行うことができる。
【００３３】
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【００３４】
例えば、上述の実施形態では、画像診断装置として磁気共鳴イメージング装置を例示したが、陽電子放出コンピュータ断層(PET: positron emission computed tomography)装置や単光子放出コンピュータ断層(SPECT: single photon emission computed tomography)装置等の核医学診断装置或いはX線CT (computed tomography)装置等の架台を備えた画像診断装置においても同様な照明部を架台に設けるとともに、照明制御部によってその照明部を制御することができる。
【００３５】
具体例として、X線CT装置であれば、例えば、心電図がONになった時に青く光る、心電図の波形が異常を示した場合に赤く光る、造影剤が漏洩したら赤く光るといった被検体の情報を表示させるように照明部を制御してもよい。また、X線CT装置において、例えば、造影剤を注入して撮像開始タイミングを決定するためのモニタリングにおいてイメージングスキャン前は青く光り、CT値が閾値を超えてイメージングスキャンの開始タイミングとなったら赤く光る、といったX線CT装置の情報を表示させるように照明部を制御してもよい。尚、造影剤の漏洩は、被検体に取り付けた圧力センサにより検出することができる。従って、照明制御部を、心電図を計測するための計測装置、圧力センサ、制御装置等の機器と接続し、照明制御部が対象となる機器から取得した情報に基づいて照明部を制御するように構成すればよい。
【符号の説明】
【００３６】
１  磁気共鳴イメージング装置
２  架台
３  寝台
３Ａ  天板
４  制御系
５  静磁場磁石
６  傾斜磁場コイル
７  全身用コイル
８  撮像部
９  ペーシェントコール
１１  第１の照明部
１２  第２の照明部
１３  外装カバー
１３ａ  反射領域
１４  光源
１５  固定部材
１６  透明カバー
１７  信号ケーブル
１８  装置制御部
１９  照明制御部
Ｓ  撮像空間
Ｏ  被検体
Ｌ  光
【図１】
2013128749.tif 000003
【図２】
2013128749.tif 000004
【図３】
2013128749.tif 000005